【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
フォトクロミック特性を示す材料及び蛍光材料を用いて形成される光記録層を有することを特徴とする光記録用記録媒体。
【請求項２】
前記光記録層は、前記フォトクロミック特性を示す材料及び蛍光材料を含有する光記録材料を含むことを特徴とする請求項１に記載の光記録用記録媒体。
【請求項３】
前記光記録層は、前記フォトクロミック特性を示す材料を含む部分と蛍光材料を含む部分とを有するストライプ状構造を備えたことを特徴とする請求項１に記載の光記録用記録媒体。
【請求項４】
請求項１に記載の光記録用記録媒体に対して光を照射し、前記光記録層中のフォトクロミック材料部分で生じる光吸収による材料の変化により信号を記録し、その材料の変化による透過光の変化で信号を検出し、光照射により蛍光材料から生じる蛍光を検出してフォーカシング信号を得ることを特徴とする光信号記録再生方式。
【請求項５】
前記光記録層に２種類の蛍光材料を含み、フォトクロミック材料へ信号記録する波長の光に加えて、フォトクロミック材料の記録信号を消去する波長の光を吸収して発する蛍光を用いてフォーカシング信号を得ることを特徴とする請求項４に記載の光信号記録再生方式。
【請求項６】
前記光記録層をフォトクロミック材料の部分と蛍光材料の部分に２分して蛍光材料の部分でトラック部を形成し、トラッキング信号を得ることを特徴とする請求項４又は５に記載の光信号記録再生方式。
【請求項７】
フォトクロミック特性を示す材料及び蛍光材料を含んだ光記録層と、透明な材料からなる中間層の２層の繰り返しから構成された多層構造からなる光記録媒体の最下層に反射層を設け、反射戻り光を検出することを特徴とする請求項４乃至６のいずれかに記載の光信号記録再生方式。
【請求項８】
記録光源に高出力のパルスレーザを用いて２光子記録を行なうことを特徴とする請求項４乃至７のいずれかに記載の光信号記録再生方式。
【手続補正２】
【補正対象書類名】明細書
【補正対象項目名】発明の名称
【補正方法】変更
【補正の内容】
【発明の名称】光情報記録媒体及び光情報記録再生方法
【手続補正３】
【補正対象書類名】明細書
【補正対象項目名】０００４
【補正方法】変更
【補正の内容】
【０００４】 本発明の目的は、フォトクロミック材料等の記録材料を用いた多層構造の光記録媒体への光記録において、安定してフォーカスサーボをかけることができる方式を提案することにある。
【手続補正４】
【補正対象書類名】明細書
【補正対象項目名】０００５
【補正方法】変更
【補正の内容】
【０００５】  上記課題は、本件発明の（１）〜（８）によって解決される。（１）「フォトクロミック特性を示す材料及び蛍光材料を用いて形成される光記録層を有することを特徴とする光記録用記録媒体。」（２）「前記光記録層は、前記フォトクロミック特性を示す材料及び蛍光材料を含有する光記録材料を含むことを特徴とする前記第（１）項に記載の光記録用記録媒体。」（３）「前記光記録層は、前記フォトクロミック特性を示す材料を含む部分と蛍光材料を含む部分とを有するストライプ状構造を備えたことを特徴とする前記第（１）項に記載の光記録用記録媒体。」（４）「前記第（１）項に記載の光記録用記録媒体に対して光を照射し、前記光記録層中のフォトクロミック材料部分で生じる光吸収による材料の変化により信号を記録し、その材料の変化による透過光の変化で信号を検出し、光照射により蛍光材料から生じる蛍光を検出してフォーカシング信号を得ることを特徴とする光信号記録再生方式。」（５）「前記光記録層に２種類の蛍光材料を含み、フォトクロミック材料へ信号記録する波長の光に加えて、フォトクロミック材料の記録信号を消去する波長の光を吸収して発する蛍光を用いてフォーカシング信号を得ることを特徴とする前記第（４）項に記載の光信号記録再生方式。」（６）「前記光記録層をフォトクロミック材料の部分と蛍光材料の部分に２分して蛍光材料の部分でトラック部を形成し、トラッキング信号を得ることを特徴とする前記第（４）項又は第（５）項に記載の光信号記録再生方式。」（７）「フォトクロミック特性を示す材料及び蛍光材料を含んだ光記録層と、透明な材料からなる中間層の２層の繰り返しから構成された多層構造からなる光記録媒体の最下層に反射層を設け、反射戻り光を検出することを特徴とする前記第（４）項乃至第（６）項のいずれかに記載の光信号記録再生方式。」（８）「記録光源に高出力のパルスレーザを用いて２光子記録を行なうことを特徴とする前記第（４）項乃至第（７）項のいずれかに記載の光信号記録再生方式。
【手続補正５】
【補正対象書類名】明細書
【補正対象項目名】０００６
【補正方法】変更
【補正の内容】
【０００６】 本発明のフォトクロミック特性を示す材料及び蛍光材料を用いて形成される光記録層を有することを特徴とする光記録用記録媒体は、該フォトクロミック材料に光で信号を記録、再生する光記録において、蛍光を検出して、フォーカシング信号を得ることができるので、光記録層と中間層の間に高屈折率の反射層を設けたり、異なる２層間の反射率を高めるため、記録層と中間層の屈折率差を大きく取る等の措置を必要とせず、光記録層と中間層の間の反射率を低くすることができるという優れた効果を呈する。 また、本発明の光信号記録再生方式においては、フォトクロミック特性を示す材料及び蛍光材料を含んだ光記録層と、透明な材料からなる中間層の２層から構成された層構造が、複数層重なるように構成された光記録媒体に関して、フォトクロミック材料に光で信号を記録、再生する光記録方法において、蛍光を検出して、フォーカシング信号を得ることを特徴とするので、光記録層と中間層の間に高屈折率の反射層を設けたり、異なる２層間の反射率を高めるため、記録層と中間層の屈折率差を大きく取る等の方法を必要とせず、光記録層と中間層の間の反射率を低くすることができる。このことから迷光やフレアを低減することが可能である。このため多層の構成において、サーボ制御や信号検出の安定性を高めることができる。  また上記構造に加えて、光記録層に吸収波長の異なる２種類の蛍光色素を含み、消去時にフォーカスサーボの印加が可能である。このため上記作用効果に加えて、消去時にサーボの印加が可能で、局所的な信号の消去が可能になる。  さらに光記録層をフォトクロミック材料と蛍光色素の部分に２分して蛍光材料の部分でトラック部を形成し、トラッキング信号を得ることを内容として包含する。このため前記作用効果に加えて、記録層に蛍光色素のトラックを形成できることから、蛍光からトラッキング誤差信号を得ることができるため、トラッキングサーボを可能とする。  またさらに、フォトクロミック特性を示す材料及び蛍光材料を含んだ光記録層と、透明な材料からなる中間層の２層の繰り返しから構成された多層構造からなる光記録媒体の最下層に反射層を設け、反射戻り光を検出することを包含する。このため、反射戻り光を検出しながら、迷光やフレアを低減することが可能であるので、光学系の構成をコンパクトにすることができる。  さらに加えて、記録光源に高出力のパルスレーザを用いて２光子記録を行なうことを特徴とする。このため前記作用効果に加え、記録層における吸収を少なくできるため、光記録媒体を構成する各層の層数が増加しても適用可能であるという作用効果をも奏する。